(57)【要約】  デュアルアクションボルトのボルト部品が前方プレートの内側面（３０）と協働するように配置された２つの突出部（２４，２６）を備えていることにより当該ボルト部品同士が相対的に離れる方向に回転するのを阻止されるようになされたボルトを備えたドアロック。前記突出部のうちの一方（２６）は、軸（２９）上のボルト部品の支持部に関して、反対方向を向いている他方の突出部と対照的に、軸線方向において反対側に配置されている。
2010525199.tif 000002
【特許請求の範囲】
【請求項１】
前方プレート（１３）に嵌め込まれるロック本体（１４）を含むドアロックであり、当該ロック本体は、引っ込み位置と前記前方プレート（１３）のボルト穴（１６）を介して前記ロック本体から突出するロック位置との間を往復直線動作によって動かすことができるデュアルアクションボルト（１５）を備えており、当該デュアルアクションボルト（１５）は、前記突出位置に向けてばね荷重がかけられており、前記デュアルアクションボルト（１５）は、前記前方プレートに対して長手方向の軸（２９）と嵌合している本体部分（２２）を備えると共に当該軸の周囲において前記本体部分上に枢動可能に支持されている２つのボルト部品を備えており、当該ボルト部品は、前記軸（２９）の長手方向において前記本体部分から離れる方向に面している突出部（２４）を備えており、当該突出部は、前記前方プレートの内側面（３０）と協働する配置とされているカウンタ面（２５）を備えており、当該ドアロックは更に、前記デュアルアクションボルトが前記突出位置から前記ロック本体（１４）内の前記引っ込み位置まで動かされるのを阻止するデッドボルト位置へと動かすことができるデッドボルト手段（１７）を備えているドアロックであり、
前記ボルト部品（２３）は第二の突出部（２６）を備えており、当該第二の突出部は、前記軸の前記ボルト部品の支持部に関して、前記離れる方向に面している突出部と対照的に前記軸（２９）の方向における反対側に配置されており、当該第二の突出部は、前記前方プレートの内側面（３０）と協働するように配置された第二のカウンタ面（３１）を備えていることを特徴とするドアロック。
【請求項２】
前記ボルト部品の前記第二の突出部（２６）は、当該ボルト部品の第二の突出部（２６）が前記本体部分（２２）と前記軸（２９）の両側に位置するように、前記軸（２９）の方向において前記第二のボルト部品（２３）に対向しており、前記ボルト穴（１６）の端縁が前記前方プレート内にカウンタ突出部（２１）を備えており、前記第二のカウンタ面（３１）が前記カウンタ突出部の内側面と相互作用するように配置されており、前記デュアルアクションボルトが前記突出位置へと動くのを可能にするために、前記前方プレートの前記第二のカウンタ突出部（２１）のための切取り部（３３）が両方のボルト部品（２３）に設けられていることを特徴とする請求項１に記載のドアロック。
【請求項３】
前記ボルト部品の前記第二の突出部の第二のカウンタ面（３１）が、前記本体部分（２２）の中間部分に配置されていることを特徴とする請求項２に記載のドアロック。
【請求項４】
前記ボルト部品（２３）の前記外方に面している突出部（２４）及び前記第二の突出部（２６）のコーナーのうちの少なくとも一つに丸味が付けられていることを特徴とする請求項３に記載のドアロック。
【請求項５】
前記本体部分（２２）及びその軸（２９）が堅牢な一体部品であることを特徴とする請求項３又は４に記載のドアロック。
【請求項６】
前記ボルト部品（２３）の両方が前記本体の軸（２９）のための穴（３２）を備えており、当該ボルト部品（２３）が前記軸に対して回転するのを制限するために、第一のリミッタ面（３４）が前記穴と関連付けられて設けられており、当該第一のリミッタ面（３４）は前記穴の端縁に対して接線方向に接している面であり、前記第二のカウンタ面（３１）に関して反対側に設けられたボルト部品の第二の突出部（２６）の面（３５）が、当該ボルト部品の他方の方向への回転を制限するための第二のリミッタ面を形成しており、
前記本体部分（２２）が、前記軸の面に対する接線方向において当該本体部分の端部に第一のカウンタリミッタ面（３５Ａ）を備え且つ当該本体部分の側部に第二のカウンタリミッタ面（３６）を備えており、前記第一のカウンタリミッタ面（３５Ａ）は前記第一のリミッタ面（３４）と協働するように配置されており、前記第二のカウンタリミッタ面（３６）は前記第二のリミッタ面（３５）と協働する配置とされていることを特徴とする請求項５に記載のドアロック。
【請求項７】
前記ボルト部品の前記第二の突出部（３８）が、前記軸の長手方向を横切る方向に且つ前記軸（２９）から離れる方向に延びている突出部であることを特徴とする請求項１に記載のドアロック。
【請求項８】
前記第二の突出部（３８）が、前記ボルト穴（１６）の側方端縁上に位置している前記前方プレートの内側面（３０）と協働するように配置されていることを特徴とする請求項７に記載のドアロック。
【発明の詳細な説明】
【技術分野】
【０００１】
本発明は、ドアロックに関し、ドアロックの前方プレートの長手方向において軸に嵌合された本体部分を備えると共に軸の周囲において前記本体部分上に枢動可能に支持されている２つのボルト部品を備えているデュアルアクション（二重作用）ボルトを備えたドアロックに関する。
【背景技術】
【０００２】
ドアロックは、多くの用途において、ドアロックのデッドボルト手段が抵抗がない状態にあるときにいずれかの方向に押すことによって開くことが出来なければならない。デッドボルト手段は、ドアロック内に設けられ且つボルトをデッドボルト位置にロックするために使用することができる手段を指している。デッドボルト位置においては、ボルトは、ロック本体から外方へ突出している状態にある。
【０００３】
当該用途及びその他の用途において、ドアロックは、２つのボルト部品を備えたデュアルアクションボルトからなる。これらのボルト部品は、いわゆる傾斜ボルトであり、ドアが閉められているときにストライカプレートと接触して当該傾斜ボルトをドアロック本体内へと進入させる傾斜面を備えている。当該ボルト部品は、ドアが回転される方向に関係なく、ドアが回転されて閉じられるときに、当該ボルト部品がストライカプレートと接する傾斜面を常に形成するように、デュアルアクション本体に枢動可能に嵌合されている。
【０００４】
図１は、２つのボルト部品２と、本体３と、当該本体に結合された状態に配置されている軸４とを備えた従来技術によるデュアルアクションボルト１を示している。当該ボルト部品は、軸上に枢動可能に連結されている。この図は、両方のボルト部品が同じ方向に回されている状態にある側方から見たボルトを示している。別の言い方をすると、ストライカプレートは、ドアの閉鎖状態において一方のボルト部品を他方のボルト部品と同じ位置へと押している。この場合には、各ボルト部品の側面５は相互に合致した傾斜面を形成している。当該ボルト部品は、ボルトの回転を制限するために、リミッタ面６Ａ，６Ｂを備えている。当該ボルト部品の端位置においては、ボルト部品のリミッタ面のどちらかが本体支持面７に当接して、ボルト部品が軸に対して枢動するのを阻止している。図１に示されている状態においては、ボルト部品は、当該ボルト部品が観察者から更に離れる方向へ回転することができない端位置にある。ボルト部品は、図１においては、ボルト部品の第二のリミッタ面６Ｂが本体支持面７と接するまで、観察者に近づく方へ回すことができる。
【０００５】
両方のボルト部品はまた、軸４の長手方向のうちボルト本体部分３から離れる方向に向けられた突出部８をも備えている。これらの突出部は、ドアロックの前方プレートの内面と協働するように配置されているカウンタ面９を備えている。デュアルアクションボルトがロック本体から突出位置へと突出しているときに、どちらかのボルト部品内の突出部のカウンタ面９は、前方プレート（図１における上方ボルト部品のカウンタ面）の内側面と接している。従って、前方プレートの内側面は、一方のボルト部品を、他方のボルト部品が配置されている位置と反対側の端位置へと回転させるようにガイドする。言い換えると、デュアルアクションボルトの両方のボルト部品は、ボルトが突出位置にあるときに正反対の端位置にある。
【０００６】
デュアルアクションボルトを備えているドアロックにおける問題点は、作動中に、ボルト部品２が垂直方向において相対的に離れる方向に回転する傾向があるという点である。ボルト部品の回転によって、軸ジャーナル及び軸穴の両方において、軸４の不均一な摩耗が生じる。このことにより、ボルト部品間の隙間１１が拡がり、ボルト部品の端縁１０が前方プレート内のボルト穴の端縁に対して摩擦される。ボルト穴の端縁に対して端縁が摩擦されることによって、当該ドアロックの作動が妨げられ且つボルトが最早ロック本体内へ或いはロック本体から適正に動かないので誤動作さえ生じるかも知れない。更に、ドアを開／閉する際に、最初に主としてボルト部品のうちの一方に力がかかり、これによって、ロック本体内でボルト本体が回転する傾向がある。この回転は、完全な動作を確保するためには、当該ロックの他の構造において考慮しなければならない。
【発明の概要】
【発明が解決しようとする課題】
【０００７】
本発明は、デュアルアクションボルトのボルト部品が相対的に離れる方向へ回転することを減じることを目的とする。
【課題を解決するための手段】
【０００８】
当該目的は、特許請求の範囲に記載されたようにして達成される。特許請求の範囲には、本発明の種々の実施形態が記載されている。
【０００９】
本発明の概念は、ボルト部品が前方プレートの内側面と協働するような配置とされている別の突出部をも備えている場合に、ボルト部品の不所望な回転を減じるか又は完全に阻止することができるようにすることである。ボルト部品を軸上に支持することに関して、第二の突出部が、前記離れる方向に面している突出部とは対照的に軸線方向両側に配置されている。当該第二の突出部は、前記前方プレートの内側面と協働するように配置されている第二のカウンタ面を備えている。
【図面の簡単な説明】
【００１０】
【図１】図１は、従来技術によるデュアルアクションボルトの一例を示す概略図である。
【図２】図２は、本発明によるドアロックの一実施例を前方から見た概略図である。
【図３】図３は、本発明によるドアロックの一実施例を前方プレートの前面から見た概略図である。
【図４】図４は、部品を分離させた状態のドアロックの実施例の概略図である。
【図５Ａ】図５Ａは、部品を接合させた状態のドアロックの概略図である。
【図５Ｂ】図５Ｂは、部品を接合させた状態のドアロックの概略図である。
【図５Ｃ】図５Ｃは、部品を接合させた状態のドアロックの概略図である。
【図５Ｄ】図５Ｄは、部品を接合させた状態のドアロックの概略図である。
【図６Ａ】図６Ａは、ドアロックボルトのためのボルト部品の実施例を示している概略図である。
【図６Ｂ】図６Ｂは、ドアロックボルトのためのボルト部品の実施例を示している概略図である。
【図６Ｃ】図６Ｃは、ドアロックボルトのためのボルト部品の実施例を示している概略図である。
【図７】図７は、ボルト部品の別の実施例を示している概略図である。
【発明を実施するための形態】
【００１１】
以下、添付図面を参考にして本発明を更に詳細に説明する。
【実施例１】
【００１２】
図２は、本発明によるドアロック１２の実施例を示している。当該ドアロックは、前方プレート１３に嵌め込まれたロック本体１４を備えており、当該ロック本体はデュアルアクションボルト１５を備えており、当該デュアルアクションボルトは、引っ込み位置と前方プレート１３内のボルト穴１６（図３）を介して前記ロック本体から突出している突出ロック位置との間を、往復直線動作によって動かすことができる。当該ボルトは、（ドアロックにおいて一般的であるように）前記突出位置に向けてばね荷重がかけられている。
【００１３】
当該ドアロックは更に、デッドボルト手段１７を備えており、当該デッドボルト手段は、当該デッドボルト手段が前記デュアルアクションボルトが前記突出位置からロック本体１４内の引っ込み位置へと動かされるのを阻止するデッドボルト位置へと動かすことができる。図２の実施例におけるデッドボルト手段は、デッドボルト位置にロックされている。この実施例においては、デッドボルト手段内のローラー１７Ａは、ロックレバー１７Ｂ及びロック部材１７Ｃが前記デッドボルト位置から動くのを阻止している。
【００１４】
当該ドアロックはまた、通常は、デッドボルト手段を制御するための制御手段をも備えている。当該ドアロックは、電気的に制御されているソレノイド２０、補助ボルト１９及び／又は制御スピンドル手段１８を備えていても良い。前記補助ボルトは、ドアが開かれているときにボルトがデッドボルト位置へと動くのを阻止するが、ドアが閉められているときには当該動きを許容する。制御スピンドル手段１８は、例えば、シリンダ本体、ハンドル及び／又はノブを備えている。制御スピンドル手段及び補助ボルトからデッドボルト手段内のローラー１７Ａへの結合は、単に点線によって示されている。ソレノイド２０は、ソレノイドスピンドルを介してローラー１７Ａに連結されている。
【００１５】
図４及び５Ａ〜５Ｄは、本発明によるドアロックのデュアルアクションボルトを示している。図６Ａ〜６Ｃは、種々の方向から見たデュアルアクションボルトのボルト部品を示している。デュアルアクションボルト１５は、前方プレート１３に対してほぼ長手方向の軸２９に嵌合された本体部分２２を備えている。デュアルアクションボルトはまた、軸２９の周囲において本体部分２２上に枢動可能に支持されている２つのボルト部品２３をも備えている。図４においては、ボルト部品及び本体部分は相対的に分離されている。図５Ａ〜５Ｄにおいては、ボルト部品は本体部分２２上に枢動可能に支持されている。ボルト部品は、軸２９のための穴３２（図６Ｂ）を備えている。ボルト部品は、前記軸が当該ボルト部品の穴内に位置するように軸の周囲に嵌合されている。当該穴内にある軸の部分２７，２８は、ボルト部品のための支持部、言い換えると、前記ボルト部品の軸を支持するための場所を形成している。図５Ｂにおいて、デュアルアクションボルトは軸２９の方向から示されており、２つのボルト部品は同じ方向に回転された状態であり、この場合には、ボルト部品は合致した傾斜面を形成している。図５Ｃにおいては、デュアルアクションボルトは、ボルト部品が異なる方向に回転された状態で軸の方向から示されており、この場合にはボルト部品の傾斜面は交差している。
【００１６】
ボルト部品は、軸２９の長手方向において、本体部分２２から離れる方向を向いている突出部２４を備えており、当該突出部は、前記前方プレートの内側面３０と協働する構造とされているカウンタ面２５を備えている。両方のボルト部品はまた第二の突出部２６をも備えており、当該第二の突出部２６は、前記軸のボルト部品支持部２７に対して、前記離れる方向を向いている突出部２４と対照的に軸２９の方向における反対側に配置されている。当該第二の突出部は、前記前方プレートの内面３０と協働する配置とされている第二のカウンタ面３１を備えている。
【００１７】
当該デュアルアクションボルトは前記突出位置に向けてばね荷重がかけられているので、カウンタ面２５，３１は、当該カウンタ面が前方プレートの内側面と接しているときに、ボルト部品を交差位置（図５Ａ及び５Ｃ）へと回転させる。前記突出部はまた、デュアルアクションボルトのドアロック本体からの突出を制限する（図２参照）。ボルト部品は、当該ボルト部品のカウンタ面２５，３１が軸支持位置２７，２８に対して軸線方向の両側にあるときに、相対的に離れるように回転する傾向はない。第二のカウンタ面３１は、ボルト部品が前記前方プレートに対向しているときに、第一のボルト部品が第二のボルト部品から離れる方向に回転するのを阻止する。当該ボルト部品は、上記したように２つのカウンタ面を備えているので、前記前方プレートに対するボルト部品の回転もまた最少化されるか又は阻止される。回転が阻止されるので、軸２９上に不均一な摩耗が生じないであろう。このことにより、軸の比較的薄い寸法が可能になる。
【００１８】
図６Ａ〜６Ｃは、ボルト部品の一実施例を示している。図５Ａ〜５Ｄにおいては、デュアルアクションボルトは組み立てられた状態にある。第一のボルト部品の第二の突出部２６は、ボルト部品２３の第二突出部２６同士が本体２２及び軸２９の両側に位置するように、軸２９の方向において第二のボルト部品に対向している。図３は、前方から見たドアロックを示しており、前方プレート１３内のボルト穴１６が示されている。ボルト穴１６の端縁は前方プレート内にカウンタ突出部２１を備えており、第二のカウンタ面３１は前記カウンタ突出部２１と協働するように配置されている。ボルトが突出位置へと直線的に動くことができるようにさせるために、前方プレートのカウンタ突出部のための切取り部３３が、両方のボルト部品内に設けられている。図面から分かるように、ボルト部品の第二の突出部２６の第二のカウンタ面３１は、本体部分２２の中間部分に配置されている。これらの図面はまた、当該デュアルアクションボルトの両方のボルト部品が同一であることをも示している。
【００１９】
ボルト部品２３の外方を向いた突出部２４と第二の突出部２６とのコーナーのうちの少なくとも一つは丸味が付けられている。これらのコーナーの丸味付けは、作動中の摩耗及び裂傷を少なくすることを意図している。図４は、本体部分２２及びその軸２９が堅牢な一体部品例えば鋳造部品であることを示している。しかしながら、ボルト本体内に本体の軸を別個に嵌合できる穴を設けることもまた可能である。
【００２０】
図面は、両方のボルト部品が本体の軸２９のための穴３２を備えていることを示している（図６Ｂ）。提供された図面に示された実施例においては、ボルト部品の軸に対する回転を制限するために、第一のリミッタ面３４が穴と関連して設けられている。当該第一のリミッタ面は穴の端縁に対して接線方向に延びている面である。ボルト部品の第二の突出部２６の第二のカウンタ面３１と反対側に設けられた面３５は、当該ボルト部品が他方の方向に回転するのを制限するための第二のリミッタ面を形成している。デュアルアクションボルトの本体部分２２は、軸２９の面に対する接線方向の当該本体の端部に設けられた第一のカウンタリミッタ面３５Ａと、当該本体部分の両側に設けられた第二のカウンタリミッタ面３６とを備えている。第一のカウンタリミッタ面３５Ａは、前記第一のリミッタ面３４と協働するように配置されており、第二のカウンタリミッタ面３６は第二のリミッタ面３５と協働するように配置されている。当該リミッタ面の目的は、ボルト部品が軸に対して抵抗なく回転するのを阻止することである。図５Ｂ及び５Ｃは端部位置にあるボルト部品を示している。ボルト部品が更に回転することを許容されている場合には、前方プレートのボルト穴及びストライカプレートのボルト穴内でのボルトの往復直線動作が妨げられるか又は阻止さえされる。当該リミッタ面は、ボルト部品内の穴のすぐ隣に配置される場合には、精密に作ることができる。このことにより、製造公差によるボルト部品の過剰な回転が減じられる。
【実施例２】
【００２１】
図７は、カウンタ面３９を備えた第二の突出部３８が軸の長手方向に対して横切る方向に軸から離れる方向に（好ましくは軸の径方向に）延びている突出部であるボルト部品の第二の実施例３７を示している。この実施例のボルト部品を使用しているデュアルアクションボルトを備えたドアロックにおいては、第二の突出部３８は、ボルト穴１６の側方端縁上にある第一のプレートの内側面と協働する配置とされる。この場合には、ボルト部品は、必ずしも、他方のボルト部品と対向する軸の方向に切取り部３３又は突出部を備える必要はない。
【００２２】
本発明によるドアロックはまた、図面に示されているもの以外のタイプのデュアルアクションボルトを具備することもできることは明らかである。例えば、ロック手段１７に対向する本体部分２２の側部は、種々の形状とすることができる。従って、本発明の概念の範囲内に含まれるあらゆる実施例を具備することができる。
【符号の説明】
【００２３】
１  デュアルアクションボルト
２  ボルト部品
３  本体
４  軸
５  側面
６Ａ，６Ｂ  リミッタ面
７  本体支持面
８  突出部
９  カウンタ面
１０  端縁
１１  隙間
１２  ドアロック
１３  前方プレート
１４  ロック本体
１５  デュアルアクションボルト
１６  ボルト穴
１７  デッドボルト手段
１７Ａ  ローラー
１７Ｂ  ロックレバー
１７Ｃ  ロック部材
１８  制御スピンドル手段
１９  補助ボルト
２０  ソレノイド
２３  ボルト部品
２４  突出部
２５  カウンタ面
２６  第二の突出部
２７，２８  軸の部分
２７  ボルト部品の支持部
２９  軸
３０  前方プレートの内面
３１  第二のカウンタ面
３１  第二のかみ合い面
３２  穴
３３  切取り部
３４  第一のリミッタ面
３５  第二の突出部の面
３５Ａ  第一のカウンタリミッタ面
３６  第二のカウンタリミッタ面
３８  第二の突出部
３９  カウンタ面
【図１】
2010525199.tif 000003
【図２】
2010525199.tif 000004
【図３】
2010525199.tif 000005
【図４】
2010525199.tif 000006
【図５Ａ】
2010525199.tif 000007
【図５Ｂ】
2010525199.tif 000008
【図５Ｃ】
2010525199.tif 000009
【図５Ｄ】
2010525199.tif 000010
【図６Ａ】
2010525199.tif 000011
【図６Ｂ】
2010525199.tif 000012
【図６Ｃ】
2010525199.tif 000013
【図７】
2010525199.tif 000014
【国際調査報告】
2010525199.tif 000015
2010525199.tif 000016